(57)【要約】【課題】引き違い障子や開閉障子等の可動障子において、ほぼ完全なフレームレス化を進め、デザインの向上を図る。【解決手段】室外側ガラスＧＯと室内側ガラスＧＩとが周方向に沿って配設されたスペーサを介し所定幅の空間が形成された状態で組み合わされ、四周縁部に前記室外側ガラスＧＯと室内側ガラスＧＩとの保持枠６〜９を備えた複層ガラスサッシ３Ａ、３Ｂにおいて、前記保持枠６〜９は実質的に前記室外側ガラスＧＯと室内側ガラスＧＩとの間に挿入状態で設置されるか、前記室外側ガラスＧＯの背面側に設置されることにより、室外側から隠蔽されるとともに、下保持枠９にサッシ用機能部材として戸車１７が設けられ、該戸車１７が前記室外側ガラスＧＯによって室外側から隠蔽された構造とする。【選択図】図２
2008063746.tif 000002
【特許請求の範囲】
【請求項１】
室外側ガラスと室内側ガラスとが周方向に沿って配設されたスペーサを介し所定幅の空間が形成された状態で組み合わされ、四周縁部に前記室外側ガラスと室内側ガラスとの保持枠を備えた複層ガラスサッシにおいて、
前記保持枠は、前記室外側ガラスと室内側ガラスとの間に挿入状態で設置されるか、前記室外側ガラスの背面側に設置されることにより、実質的に室外側から隠蔽されるとともに、前記保持枠にサッシ用機能部材が設けられ、該サッシ用機能部材が前記室外側ガラスによって室外側から隠蔽されていることを特徴とする複層ガラスサッシ。
【請求項２】
前記サッシ用機能部材が戸車、開閉支持金具、外れ止め機構、引寄せ金物のいずれかである請求項１記載の複層ガラスサッシ。
【請求項３】
前記サッシ用機能部材が戸車であり、該戸車が前記保持枠の空間内に収納され、かつ保持枠より下側に突出した戸車部分が前記室外側ガラスによって室外側から隠蔽されている請求項１記載の複層ガラスサッシ。
【発明の詳細な説明】
【技術分野】
【０００１】
本発明は、室外側に框などのフレームを露出させないようにした複層ガラスサッシに関する。
【背景技術】
【０００２】
近年、一般住宅や低層ビル等では、騒音対策や結露対策のために、複層ガラスを採用したサッシが多く使用されるようになってきた。複層ガラスを框によって支持する方法としては、框の内方面側に形成された凹部に複層ガラスを呑み込ませるとともに、グレージングチャンネル又はシール材によって固定する方法（特許文献１の図１８、図１９参照）が一般的であった。
【０００３】
近年は、複層ガラスの支持方法についても幾つかの改良が提案されている。下記特許文献１では、フレームレスな意匠性を出すために、複層ガラスを保持枠に取り付けてなる複層ガラス障子において、複層ガラスは、短寸板ガラス５０と長寸板ガラス５１がその周辺部に配されているスペーサ５２を介在して、かつ、スペーサ５２の外部側に長寸板ガラス５１が短寸板ガラス５０に対して突出板ガラス部分を有するようにして配置されて空気層が形成され、保持枠は、短寸板ガラスに面一になるように形成された面保護部５３と、長寸板ガラスの端面に連なって形成される第１端面に接着されていて、面保護部に垂直方向に形成されている端保護部５４と、複層ガラスを保持している保持部５５を有してなる複層ガラス障子が開示されている。
【特許文献１】特開平９−２２８７４８号公報
【発明の開示】
【発明が解決しようとする課題】
【０００４】
従来のサッシ構造は、室外側から障子の框が見えるのが当然であったが、近年は居住者のデザイン志向が高まりによって、上記特許文献１記載の発明のように、極力框を見せないようにすることによりデザイン性を与えたものが好まれる傾向にある。
【０００５】
しかしながら、前記特許文献１記載の複層ガラス障子を開閉窓として使用する場合は、図６に示されるように、開閉支持金物が室外側ガラスよりも外側に存在し、外部から見えてしまう問題があった。また、仮に障子として使用する場合には、下框の下面に別途戸車を配設する必要があり、この戸車が外から見えないようにするためには、窓枠側に工夫が必要になるなどの問題があった。
【０００６】
そこで本発明の主たる課題は、引き違い障子や開閉障子等の可動障子において、ほぼ完全なフレームレス化を進め、デザインの向上を図ることにある。
【課題を解決するための手段】
【０００７】
前記課題を解決するために請求項１に係る本発明として、室外側ガラスと室内側ガラスとが周方向に沿って配設されたスペーサを介し所定幅の空間が形成された状態で組み合わされ、四周縁部に前記室外側ガラスと室内側ガラスとの保持枠を備えた複層ガラスサッシにおいて、
前記保持枠は、前記室外側ガラスと室内側ガラスとの間に挿入状態で設置されるか、前記室外側ガラスの背面側に設置されることにより、実質的に室外側から隠蔽されるとともに、前記保持枠にサッシ用機能部材が設けられ、該サッシ用機能部材が前記室外側ガラスによって室外側から隠蔽されていることを特徴とする複層ガラスサッシが提供される。
【０００８】
上記請求項１記載の発明においては、保持枠は、前記室外側ガラスと室内側ガラスとの間に挿入状態で設置されるか、前記室外側ガラスの背面側に設置される。従って、前記保持枠は実質的に室外側から隠蔽されるようになる。また、サッシには戸車、開閉支持金具等のサッシ用機能部材が設けられるが、更にこのサッシ用機能部材が前記室外側ガラスによって隠蔽された構造とするものである。従って、ほぼ完全なフレームレス化が実現でき、意匠性が向上する。
【０００９】
請求項２に係る本発明として、前記サッシ用機能部材が戸車、開閉支持金具、外れ止め機構、引寄せ金物のいずれかである請求項１記載の複層ガラスサッシが提供される。該請求項２記載の発明はサッシ用機能部材の例を列挙したものである。
【００１０】
請求項３に係る本発明として、前記サッシ用機能部材が戸車であり、該戸車が前記保持枠の空間内に収納され、かつ保持枠より下側に突出した戸車部分が前記室外側ガラスによって室外側から隠蔽されている請求項１記載の複層ガラスサッシが提供される。該請求項３記載の発明は、特にサッシ用機能部材が戸車である場合の構造を具体化したものである。
【００１１】
なお、上記請求項１〜３記載の発明において「実質的に」とは、例えば保持枠Ｋのガラス支持フランジの端面が外部に露出する程度は許容する意味である。
【発明の効果】
【００１２】
以上詳説のとおり本発明によれば、引き違い障子や開閉障子等の可動障子において、ほぼ完全なフレームレス化が可能になるため、デザインの向上を図ることができる。
【発明を実施するための最良の形態】
【００１３】
以下、本発明の実施の形態について図面を参照しながら詳述する。
【００１４】
図１は本発明に係る複層ガラスサッシを適用した引違い窓１の内観姿図、図２は図１のII−II線矢視図、図３は図１のIII−III線矢視図である。
【００１５】
引違い窓１は、躯体開口部Ｈの周囲に、上枠２Ａ、下枠２Ｂ及び左右側枠２Ｃ、２Ｄからなる窓枠２を固定し、この窓枠２内に本発明に係る室外側複層ガラスサッシ３Ａと、室内側複層ガラスサッシ３Ｂを建込んだ構造の窓である。
【００１６】
前記複層ガラスサッシ３Ａ、３Ｂは、室外側ガラスＧＯと室内側ガラスＧＩとが周方向に沿って配設されたスペーサ４を介し所定幅の空間が形成された状態で組み合わされ、四周縁部に前記室外側ガラスＧＯと室内側ガラスＧＩとの保持枠Ｋを備えるもので、前記保持枠Ｋは実質的に前記室外側ガラスＧＯと室内側ガラスＧＩとの間に挿入状態で設置されるか、前記室外側ガラスＧＯの背面側に設置されることにより、室外側から隠蔽されるとともに、前記保持枠Ｋにサッシ用機能部材、図示例では戸車１７が設けられ、該戸車１７が前記室外側ガラスＧＯによって室外側から隠蔽されている構造の引違いサッシである。なお、前記スペーサ４の内部は一般的に乾燥剤が充填されている（図示せず）。
【００１７】
以下、更に上記室外側複層ガラスサッシ３Ａを図４に基づいて、前記室内側複層ガラスサッシ３Ｂを図５に基づいて詳述する。
【００１８】
前記相対的に室外側に位置する複層ガラスサッシ３Ａは、詳細には図４に示されるように、室外側ガラスＧＯと室内側ガラスＧＩとが周方向に沿って配設されたスペーサ４を介し所定幅の空間Ａが形成された状態で組み合わされる。前記室外側ガラスＧＯと室内側ガラスＧＩとの間であって、前記スペーサ４の外周側にシール材５が充填されるとともに、さらにその外側の周縁部には上保持枠８、下保持枠９、左右保持枠６、７からなる保持枠Ｋが設けられている。
【００１９】
前記保持枠６〜９は、実質的に前記室外側ガラスＧＯと室内側ガラスＧＩとの間に挿入状態で設置されるか、前記室外側ガラスＧＯの背面側に設置されることにより、室外側から隠蔽されるようになっている。ここで、左右保持枠６，７及び上保持枠８が室外側ガラスＧＯと室内側ガラスＧＩとの間に挿入状態で設置されることにより室外側から隠蔽された枠材であり、前記下保持枠９が室外側ガラスＧＯの背面側に設置されることにより室外側から隠蔽された枠材である。
【００２０】
前記左保持枠６は、引き違いサッシの戸先側となる枠材である。室外側ガラスＧＯと室内側ガラスＧＩとの間に位置する中空部６ａから側方に延在して室内外に夫々、断面Ｌ字状のガラス支持フランジ６ｂ、６ｃを備えた形材であって、室外側に屈曲するガラス支持フランジ６ｂによって、中間にシール材１２を介して室外側ガラスＧＯが支持され、室内側に屈曲するガラス支持フランジ６ｃによって、中間にシール材１２を介して室内側ガラスＧＩが支持されているとともに、前記室外側ガラスＧＯ、室内側ガラスＧＩは、左保持枠６との接触部分において接着剤によって接合されている。一方、前記ガラス支持フランジ６ｂ、６ｃの間に形成された凹部６ｄ内には、レインバリヤ７が設けられるとともに、ウインドバリヤ８が設けられている。
【００２１】
前記右保持枠７は、引き違いサッシの室外側召合せとなる枠材である。室外側ガラスＧＯと室内側ガラスＧＩとの間に位置する中空部７ａの外側端部より室外側に突出するガラス支持フランジ７ｂを備えるとともに、室内側ガラスＧＩとの間に面状の空間を形成するように断面Ｌ字状を成すガラス支持フランジ７ｃを備え、かつ前記ガラス支持フランジ７ｃに煙返し７ｄが設けられた形材であって、前記ガラス支持フランジ７ｂによって、中間にシール材１２を間に介して室外側ガラスＧＯが支持され、前記ガラス支持フランジ７ｃ部によって室内側ガラスＧＩが支持される。該室内側ガラスＧＩの支持は、ガラス端部を前記ガラス支持フランジ７ｃによって形成された空間内に挿入し、室内側ガラスＧＩとガラス支持フランジ７ｃとの間に固形シール材１３を挟入することによって支持されている。また、前記室外側ガラスＧＯ、室内側ガラスＧＩは、右保持枠７との接触部分において接着剤によって接合されている。一方、前記ガラス支持フランジ７ｃには、クレセント錠の受け金具１４が取り付けられているとともに、前記煙返し７ｄの室内側面には室内側複層ガラスサッシ３Ｂの召合せ保持枠１６に接触するシール材１９が設けられている。
【００２２】
前記上保持枠８は、上枠２Ａに設けられた垂下片レール３０が嵌入される枠材である。断面Ｕ字状部８ａの上部端から室外側に延在するガラス支持フランジ８ｂを備えるとともに、室内側に延在するガラス支持フランジ８ｃを備える形材であって、室外側に延在するガラス支持フランジ８ｂによって、中間にシール材１２を介して室外側ガラスＧＯが支持され、室内側に延在するガラス支持フランジ８ｃによって、中間にシール材１２を介して室内側ガラスＧＩが支持されているとともに、前記室外側ガラスＧＯ、室内側ガラスＧＩは、上保持枠８との接触部分において接着剤によって接合されている。また、前記断面Ｕ字状部８ａの凹部内には、端部にＵ字状の切欠きが形成された小口板８ｄが設けられているとともに、上枠２Ａに設けられた垂下片レール３０を跨いで両側に夫々バリヤシール１５が設けられている。
【００２３】
前記下保持枠９は、下枠２Ｂに設けられた起立レールを走行する戸車が設けられる枠材である。室内側に段状部を有する中空部９ａから室外側に屈曲する断面Ｌ字状のガラス支持フランジ９ｂ、９ｃを備えた形材である。室外側に位置するガラス支持フランジ９ｂによって、中間にシール材１２を介して室外側ガラスＧＯが支持され、前記中空部９ａの段状部によって、中間にシール材１２を介して室内側ガラスＧＩが支持されている。
【００２４】
前記下保持枠９の中空部９ａには、サッシ用機能部材となる戸車１７が収納されており、かつ前記中空部９ａより下側に突出した戸車部分１７が前記室外側ガラスＧＯによって室外側から隠蔽された構造となっている。
【００２５】
一方、相対的に室内側に位置する複層ガラスサッシ３Ｂは、詳細には図５に示されるように、召合せ保持枠１６のみが前記室外側の複層ガラスサッシ３Ａと異なり、他の保持枠は同様であるため、前記召合せ保持枠１６について説明を行い、他の保持枠については同符合を付して説明を省略する。なお、前記召合せ保持枠１６は、室外側複層ガラス３Ａによって隠蔽されるため、フレームレスが要求されない部位である。
【００２６】
前記召合せ保持枠１６は、引き違いサッシの室内側召合せとなる枠材である。室内側に段状部を有する第１中空部１６ａと、引き手となる第２中空部１６ｂとが連設され、室外側に断面Ｌ字状の煙返し１６ｄが設けられた形材である。前記煙返し１６ｄの室外側には、シール材２１が設けられている。前記第１中空部１６ａと第２中空部１６ｂとの間の凹部１６ｃに室内側ガラスＧＩが挿入され、バックアップ材２２，シール材２３によって支持されている。また、室外側ガラスＧＯは、前記煙返し１６ｄ内に充填されたシール材２０によって支持されているとともに、召合せ保持枠１６との接触部分において接着剤によって接合されている。。前記召合せ保持枠１６の外側面は平面とされ、クレセント錠１８が設けられ、室内側複層ガラスサッシ３Ａに設けられた受け金具１４にクレセントを係合させることにより施錠が成されるようになっている。
【００２７】
〔他の形態例〕
(1)上記形態例では、サッシ用機能部材が戸車１７の例について説明したが、前記サッシ用機能部材としては他に、開き窓とした場合の開閉支持金具、スライド障子における外れ止め機構や引寄せ金物などがある。
【図面の簡単な説明】
【００２８】
【図１】本発明に係る複層ガラスサッシを適用した引違い窓１の内観姿図である。
【図２】図１のII−II線矢視図である。
【図３】図１のIII−III線矢視図である。
【図４】室外側複層ガラスサッシ３Ａを示す、(A)は横断面図、(B)は縦断面図である。
【図５】室内側複層ガラスサッシ３Ｂを示す、(A)は横断面図、(B)は縦断面図である。
【図６】フレームレスデザインの複層ガラス障子を開閉窓として使用した場合の開閉支持部の拡大断面図である。
【符号の説明】
【００２９】
１…引違い窓、２Ａ…上枠、２Ｂ…下枠、２Ｃ・２Ｄ…側枠、３Ａ…室外側複層ガラスサッシ、３Ｂ…室内側複層ガラスサッシ、４…スペーサ、５…シール材、６…左保持枠、７…右保持枠、８…上保持枠、９…下保持枠、１６…召合せ保持枠、１７…戸車、ＧＯ…室外側ガラス、ＧＩ…室内側ガラス
【図１】
2008063746.tif 000003
【図２】
2008063746.tif 000004
【図３】
2008063746.tif 000005
【図４】
2008063746.tif 000006
【図５】
2008063746.tif 000007
【図６】
2008063746.tif 000008